(57)【特許請求の範囲】
【請求項１】
無線通信システムにおけるＭＭＥ（Ｍｏｂｉｌｉｔｙ  Ｍａｎａｇｅｍｅｎｔ  Ｅｎｔｉｔｙ）がページングメッセージを送信する方法において、
隣接セルのＴＡＩ（Ｔｒａｃｋｉｎｇ  Ａｒｅａ  Ｉｄｅｎｔｉｔｙ）リストを基地局から受信し、
前記隣接セルのＴＡＩリストが指示するＴＡ（Ｔｒａｃｋｉｎｇ  Ａｒｅａ）に属する基地局にページングメッセージを送信することを含み、
前記隣接セルは、端末が属するセルに隣接したセルであることを特徴とする方法。
【請求項２】
前記隣接セルのＴＡＩリストを格納することをさらに含むことを特徴とする請求項１に記載の方法。
【請求項３】
前記隣接セルのＴＡＩリストは、前記端末が属するセルのＴＡＩと前記隣接セルのＴＡＩが異なる場合に受信されることを特徴とする請求項１に記載の方法。
【請求項４】
前記隣接セルのＴＡＩリストは、ＵＥ  ＣＯＮＴＥＸＴ  ＲＥＬＥＡＳＥ  ＲＥＱＵＥＳＴメッセージに含まれて受信されることを特徴とする請求項１に記載の方法。
【請求項５】
前記隣接セルのＴＡＩリストは、ＵＥ  ＣＯＮＴＥＸＴ  ＲＥＬＥＡＳＥ  ＣＯＭＰＬＥＴＥメッセージに含まれて受信され、
前記ＵＥ  ＣＯＮＴＥＸＴ  ＲＥＬＥＡＳＥ  ＣＯＭＰＬＥＴＥメッセージは、ＵＥ  ＣＯＮＴＥＸＴ  ＲＥＬＥＡＳＥ  ＣＯＭＭＡＮＤメッセージに対する応答として受信されることを特徴とする請求項１に記載の方法。
【請求項６】
前記隣接セルのＴＡＩリストは、ＩＮＩＴＩＡＬ  ＵＥ  ＭＥＳＳＡＧＥメッセージに含まれて受信され、
前記ＩＮＩＴＩＡＬ  ＵＥ  ＭＥＳＳＡＧＥメッセージは、ＲＲＣ  ＣＯＮＮＥＣＴＩＯＮ  ＳＥＴＵＰ  ＣＯＭＰＬＥＴＥメッセージの受信以後に受信されることを特徴とする請求項１に記載の方法。
【請求項７】
前記端末は、ＲＲＣ＿ＩＤＬＥ状態であることを特徴とする請求項１に記載の方法。
【請求項８】
無線通信システムにおける基地局がＴＡＩリスト（Ｔｒａｃｋｉｎｇ  Ａｒｅａ  Ｉｄｅｎｔｉｔｙ）を送信する方法において、
隣接セルのＴＡＩリストをＭＭＥ（Ｍｏｂｉｌｉｔｙ  Ｍａｎａｇｅｍｅｎｔ  Ｅｎｔｉｔｙ）に送信することを含み、
前記隣接セルは、端末が属するセルに隣接したセルであることを特徴とする方法。
【請求項９】
前記隣接セルのＴＡＩリストは、前記端末が属するセルのＴＡＩと前記隣接セルのＴＡＩが異なる場合に送信されることを特徴とする請求項８に記載の方法。
【請求項１０】
ＵＥ  ＣＯＮＴＥＸＴ  ＲＥＬＥＡＳＥ  ＣＯＭＭＡＮＤメッセージを前記ＭＭＥから受信することをさらに含み、
前記隣接セルのＴＡＩリストは、ＵＥ  ＣＯＮＴＥＸＴ  ＲＥＬＥＡＳＥ  ＣＯＭＰＬＥＴＥメッセージに含まれて送信され、
前記ＵＥ  ＣＯＮＴＥＸＴ  ＲＥＬＥＡＳＥ  ＣＯＭＰＬＥＴＥメッセージは、前記ＵＥ  ＣＯＮＴＥＸＴ  ＲＥＬＥＡＳＥ  ＣＯＭＭＡＮＤメッセージに対する応答として送信されることを特徴とする請求項８に記載の方法。
【請求項１１】
ＲＲＣ  ＣＯＮＮＥＣＴＩＯＮ  ＳＥＴＵＰ  ＣＯＭＰＬＥＴＥメッセージを前記端末から受信することをさらに含み、
前記隣接セルのＴＡＩリストは、ＩＮＩＴＩＡＬ  ＵＥ  ＭＥＳＳＡＧＥメッセージに含まれて送信され、
前記ＩＮＩＴＩＡＬ  ＵＥ  ＭＥＳＳＡＧＥメッセージは、前記ＲＲＣ  ＣＯＮＮＥＣＴＩＯＮ  ＳＥＴＵＰ  ＣＯＭＰＬＥＴＥメッセージの受信以後に送信されることを特徴とする請求項８に記載の方法。
【請求項１２】
前記端末は、ＲＲＣ＿ＩＤＬＥ状態であることを特徴とする請求項８に記載の方法。
【請求項１３】
無線通信システムにおけるページングメッセージを送信するＭＭＥ（Ｍｏｂｉｌｉｔｙ  Ｍａｎａｇｅｍｅｎｔ  Ｅｎｔｉｔｙ）において、
メモリ；送受信機；及び、前記メモリと前記送受信機を連結するプロセッサ；を含み、前記プロセッサは、
隣接セルのＴＡＩ（Ｔｒａｃｋｉｎｇ  Ａｒｅａ  Ｉｄｅｎｔｉｔｙ）リストを基地局から受信し、
前記隣接セルのＴＡＩリストが指示するＴＡ（Ｔｒａｃｋｉｎｇ  Ａｒｅａ）に属する基地局にページングメッセージを送信するように構成され、
前記隣接セルは、端末が属するセルに隣接したセルであることを特徴とするＭＭＥ。
【請求項１４】
前記プロセッサは、
前記隣接セルのＴＡＩリストを格納するように構成されることを特徴とする請求項１３に記載のＭＭＥ。
【請求項１５】
前記隣接セルのＴＡＩリストは、前記端末が属するセルのＴＡＩと前記隣接セルのＴＡＩが異なる場合に受信されることを特徴とする請求項１３に記載のＭＭＥ。
【発明の詳細な説明】
【技術分野】
【０００１】
本発明は、無線通信システムに関し、より詳しくは、ＭＭＥ及び基地局がページングシグナリング（Ｐａｇｉｎｇ  Ｓｉｇｎａｌｌｉｎｇ）を減少させるための方法及びこれをサポートする装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
端末が一定時間基地局からトラフィックを受信しない場合、端末は、電力を節約するためにＲＲＣ＿ＩＤＬＥ状態に遷移できる。ＲＲＣ＿ＩＤＬＥモードに遷移した端末は、利用可能区間（Ａｖａｉｌａｂｌｅ  Ｉｎｔｅｒｖａｌ、ＡＩ）の間に基地局が放送する放送メッセージ（例えば、ページングメッセージ）を受信して一般モード（ｎｏｒｍａｌ  ｍｏｄｅ）に遷移するかまたはＲＲＣ＿ＩＤＬＥ状態のままであるかを判断することができる。
【０００４】
ページングとは、移動通信で着信呼び発生時、該当する端末の位置（例えば、どの基地局またはどの交換局等）を把握する機能をいう。ＲＲＣ＿ＩＤＬＥ状態をサポートする複数の基地局は、特定ページンググループ（Ｐａｇｉｎｇ  Ｇｒｏｕｐ）に所属されてページング領域を構成することができる。このとき、ページンググループは、論理的なグループを示す。ページンググループの目的は、端末をターゲットとするトラフィックがある場合、ダウンリンクにページングされることができる隣接範囲領域を提供することにある。
【発明の概要】
【発明が解決しようとする課題】
【０００５】
従来ページング手順によると、複数のＴＡに属する複数の基地局にページングメッセージを送信するため、ページングシグナリングのオーバーヘッドが大きいという短所があった。また、従来提案された隣接セルのＥＣＧＩを受信し、これを利用するページング手順によると、端末の移動性によってページング失敗が頻繁に発生することができるという問題点があった。したがって、本発明は、ページングシグナリングのオーバーヘッドを減少させると共に、ページング失敗を減らすための方法及びこれをサポートする装置を提案する。
【課題を解決するための手段】
【０００６】
一実施例において、無線通信システムにおけるＭＭＥがページングメッセージを送信する方法が提供される。前記ＭＭＥは、隣接セルのＴＡＩリストを基地局から受信し、前記隣接セルのＴＡＩリストが指示するＴＡに属する基地局にページングメッセージを送信することを含む。前記隣接セルは、端末が属するセルに隣接したセルである。
【０００７】
前記ＭＭＥは、前記隣接セルのＴＡＩリストを格納することをさらに含む。
【０００８】
前記隣接セルのＴＡＩリストは、前記端末が属するセルのＴＡＩと前記隣接セルのＴＡＩが異なる場合に受信される。
【０００９】
前記隣接セルのＴＡＩリストは、ＵＥ  ＣＯＮＴＥＸＴ  ＲＥＬＥＡＳＥ  ＲＥＱＵＥＳＴメッセージに含まれて受信される。
【００１０】
前記隣接セルのＴＡＩリストは、ＵＥ  ＣＯＮＴＥＸＴ  ＲＥＬＥＡＳＥ  ＣＯＭＰＬＥＴＥメッセージに含まれて受信され、前記ＵＥ  ＣＯＮＴＥＸＴ  ＲＥＬＥＡＳＥ  ＣＯＭＰＬＥＴＥメッセージは、ＵＥ  ＣＯＮＴＥＸＴ  ＲＥＬＥＡＳＥ  ＣＯＭＭＡＮＤメッセージに対する応答として受信される。
【００１１】
前記隣接セルのＴＡＩリストは、ＩＮＩＴＩＡＬ  ＵＥ  ＭＥＳＳＡＧＥメッセージに含まれて受信され、前記ＩＮＩＴＩＡＬ  ＵＥ  ＭＥＳＳＡＧＥメッセージは、ＲＲＣ  ＣＯＮＮＥＣＴＩＯＮ  ＳＥＴＵＰ  ＣＯＭＰＬＥＴＥメッセージの受信以後に受信される。
【００１２】
前記端末は、ＲＲＣ＿ＩＤＬＥ状態である。
【００１３】
他の実施例において、無線通信システムにおける基地局がＴＡＩリストを送信する方法が提供される。前記基地局は、隣接セルのＴＡＩリストをＭＭＥ（Ｍｏｂｉｌｉｔｙ  Ｍａｎａｇｅｍｅｎｔ  Ｅｎｔｉｔｙ）に送信することを含む。前記隣接セルは、端末が属するセルに隣接したセルである。
【００１４】
前記隣接セルのＴＡＩリストは、前記端末が属するセルのＴＡＩと前記隣接セルのＴＡＩが異なる場合に送信される。
【００１５】
ＵＥ  ＣＯＮＴＥＸＴ  ＲＥＬＥＡＳＥ  ＣＯＭＭＡＮＤメッセージを前記ＭＭＥから受信することをさらに含む。前記隣接セルのＴＡＩリストは、ＵＥ  ＣＯＮＴＥＸＴ  ＲＥＬＥＡＳＥ  ＣＯＭＰＬＥＴＥメッセージに含まれて送信され、前記ＵＥ  ＣＯＮＴＥＸＴ  ＲＥＬＥＡＳＥ  ＣＯＭＰＬＥＴＥメッセージは、前記ＵＥ  ＣＯＮＴＥＸＴ  ＲＥＬＥＡＳＥ  ＣＯＭＭＡＮＤメッセージに対する応答として送信される。
【００１６】
ＲＲＣ  ＣＯＮＮＥＣＴＩＯＮ  ＳＥＴＵＰ  ＣＯＭＰＬＥＴＥメッセージを前記端末から受信することをさらに含む。前記隣接セルのＴＡＩリストは、ＩＮＩＴＩＡＬ  ＵＥ  ＭＥＳＳＡＧＥメッセージに含まれて送信され、前記ＩＮＩＴＩＡＬ  ＵＥ  ＭＥＳＳＡＧＥメッセージは、前記ＲＲＣ  ＣＯＮＮＥＣＴＩＯＮ  ＳＥＴＵＰ  ＣＯＭＰＬＥＴＥメッセージの受信以後に送信される。
【００１７】
前記端末は、ＲＲＣ＿ＩＤＬＥ状態である。
【００１８】
他の実施例において、無線通信システムにおけるページングメッセージを送信するＭＭＥが提供される。前記ＭＭＥは、メモリ；送受信機；及び、前記メモリと前記送受信機を連結するプロセッサ；を含み、前記プロセッサは、隣接セルのＴＡＩリストを基地局から受信し、前記隣接セルのＴＡＩリストが指示するＴＡに属する基地局にページングメッセージを送信するように構成される。前記隣接セルは、端末が属するセルに隣接したセルである。
【発明の効果】
【００１９】
ページングシグナリングのオーバーヘッドを減少させることができる。
【図面の簡単な説明】
【００２０】
【図１】ＬＴＥシステムネットワーク構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】初期電源がオンになったＲＲＣアイドル状態の端末がセル選択過程を介してネットワークに登録し、必要な場合、セル再選択をする手順を示す。
【図５】ＲＲＣ接続を設定する過程を示す。
【図６】ＲＲＣ接続再構成手順を示す。
【図７】ＲＲＣ接続再確立手順を示す。
【図８】隣接セルのＥＣＧＩをＭＭＥに提供する場合、ページング手順で発生できる問題点を示す。
【図９】本発明の一実施例によって、Ｓ１解除手順の間に、ＭＭＥに隣接セルのＴＡＩリストを提供する方法を示す。
【図１０】本発明の一実施例によって、Ｓ１解除手順の間に、ＭＭＥに隣接セルのＴＡＩリストを提供する方法を示す。
【図１１】本発明の一実施例によって、ＴＡＵ手順の間に、ＭＭＥに隣接セルのＴＡＩリストを提供する方法を示す。
【図１２】本発明の一実施例によって、ＭＭＥがページングシグナリングを減少させるための方法を示すブロック図である。
【図１３】本発明の一実施例によって、基地局がページングシグナリングを減少させるための方法を示すブロック図である。
【図１４】本発明の実施例が具現される無線通信システムのブロック図である。
【発明を実施するための形態】
【００２１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００２２】
説明を明確にするために、ＬＴＥ−Ａを中心に記述するが、本発明の技術的思想がこれに制限されるものではない。
【００２３】
図１は、ＬＴＥシステムネットワーク構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００２４】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００２５】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００２６】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００２７】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００２８】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００２９】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多数関係（ｍａｎｙ−ｔｏ−ｍａｎｙ−ｒｅｌａｔｉｏｎ）をサポートする。
【００３０】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００３１】
図２は、制御平面に対するＬＴＥシステムの無線インターフェースプロトコルを示す。図３は、ユーザ平面に対するＬＴＥシステムの無線インターフェースプロトコルを示す。
【００３２】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００３３】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００３４】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００３５】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００３６】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００３７】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００３８】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００３９】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００４０】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しない時、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００４１】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００４２】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００４３】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００４４】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００４５】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００４６】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００４７】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００４８】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００４９】
以下、端末のＲＲＣ状態（ＲＲＣ  ｓｔａｔｅ）とＲＲＣ接続方法に対して詳述する。
【００５０】
ＲＲＣ状態は、端末のＲＲＣ階層がＥ−ＵＴＲＡＮのＲＲＣ階層と論理的に連結されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。端末のＲＲＣ階層とＥ−ＵＴＲＡＮのＲＲＣ階層との間のＲＲＣ接続が設定されている時、端末は、ＲＲＣ接続状態になり、そうでない場合、端末は、ＲＲＣアイドル状態になる。ＲＲＣ＿ＣＯＮＮＥＣＴＥＤの端末は、Ｅ−ＵＴＲＡＮとＲＲＣ接続が設定されているため、Ｅ−ＵＴＲＡＮは、ＲＲＣ＿ＣＯＮＮＥＣＴＥＤの端末の存在を把握することができ、端末を効果的に制御することができる。一方、Ｅ−ＵＴＲＡＮは、ＲＲＣ＿ＩＤＬＥの端末を把握することができず、核心ネットワーク（ＣＮ；ｃｏｒｅ  ｎｅｔｗｏｒｋ）がセルより大きい領域であるトラッキング領域（ｔｒａｃｋｉｎｇ  ａｒｅａ）単位で端末を管理する。即ち、ＲＲＣ＿ＩＤＬＥの端末は、より大きい領域の単位で存在のみが把握され、音声またはデータ通信のような通常の移動通信サービスを受けるために、端末は、ＲＲＣ＿ＣＯＮＮＥＣＴＥＤに遷移しなければならない。
【００５１】
ＲＲＣ＿ＩＤＬＥ状態で、端末がＮＡＳにより設定されたＤＲＸ（ｄｉｓｃｏｎｔｉｎｕｏｕｓ  ｒｅｃｅｐｔｉｏｎ）を指定する間に、端末は、システム情報及びページング情報の放送を受信することができる。そして、端末は、トラッキング領域で端末を固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥ状態で、どのようなＲＲＣ  ｃｏｎｔｅｘｔもｅＮＢに格納されない。
【００５２】
ＲＲＣ＿ＣＯＮＮＥＣＴＥＤ状態で、端末は、Ｅ−ＵＴＲＡＮでＥ−ＵＴＲＡＮ  ＲＲＣ接続及びＲＲＣ  ｃｏｎｔｅｘｔを有し、ｅＮＢにデータを送信及び／またはｅＮＢからデータを受信することが可能である。また、端末は、ｅＮＢにチャネル品質情報及びフィードバック情報を報告することができる。ＲＲＣ＿ＣＯＮＮＥＣＴＥＤ状態で、Ｅ−ＵＴＲＡＮは、端末が属するセルを知ることができる。したがって、ネットワークは、端末にデータを送信及び／または端末からデータを受信することができ、ネットワークは、端末の移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは、隣接セルのためにセル測定を実行することができる。
【００５３】
ＲＲＣ＿ＩＤＬＥ状態で、端末は、ページングＤＲＸ周期を指定する。具体的に、端末は、端末特定ページングＤＲＸ周期毎の特定ページングオケージョン（ｐａｇｉｎｇ  ｏｃｃａｓｉｏｎ）にページング信号をモニタリングする。ページングオケージョンは、ページング信号が送信される間の時間間隔である。端末は、自分のみのページングオケージョンを有している。
【００５４】
ページングメッセージは、同じトラッキング領域に属する全てのセルにわたって送信される。もし、端末が一つのトラッキング領域から他の一つのトラッキング領域に移動すると、端末は、位置をアップデートするためにＴＡＵ（ｔｒａｃｋｉｎｇ  ａｒｅａ  ｕｐｄａｔｅ）メッセージをネットワークに送信する。
【００５５】
ユーザが端末の電源を最初オンにした時、まず、端末は、適切なセルを探索した後、該当セルでＲＲＣ＿ＩＤＬＥにとどまる。ＲＲＣ接続を確立する必要がある時、ＲＲＣ＿ＩＤＬＥ状態の端末は、ＲＲＣ接続手順を介してＥ−ＵＴＲＡＮのＲＲＣとＲＲＣ接続を確立してＲＲＣ＿ＣＯＮＮＥＣＴＥＤに遷移できる。ＲＲＣ＿ＩＤＬＥ状態の端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００５６】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態となる。
【００５７】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態となる。端末がＥＣＭ−ＩＤＬＥ状態にある時、Ｅ−ＵＴＲＡＮは、端末のｃｏｎｔｅｘｔ情報を有していない。したがって、ＥＣＭ−ＩＤＬＥ状態の端末は、ネットワークの命令を受ける必要無しで、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と変わる場合、端末は、トラッキング領域更新（Ｔｒａｃｋｉｎｇ  Ａｒｅａ  Ｕｐｄａｔｅ）手順を介してネットワークに端末の該当位置を知らせる。
【００５８】
図４は、初期電源がオンになったＲＲＣアイドル状態の端末がセル選択過程を介してネットワークに登録し、必要な場合、セル再選択をする手順を示す。
【００５９】
図４を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオアクセス技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することができ、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されていることを使用することもできる。
【００６０】
端末は、測定した基地局と信号強度や品質が特定の値より大きいセルの中から最も大きい値を有するセルを選択する（Ｃｅｌｌ  Ｓｅｌｅｃｔｉｏｎ）（Ｓ４２０）。これは電源がオンになった端末がセル選択を実行することであり、初期セル選択（ｉｎｉｔｉａｌ  ｃｅｌｌ  ｓｅｌｅｃｔｉｏｎ）ということができる。セル選択手順に対して以後に詳述する。セル選択以後、端末は、基地局が周期的に送るシステム情報を受信する。前記特定の値は、データ送／受信での物理的信号に対する品質の保証を受けるためにシステムで定義された値を意味する。したがって、その値は、適用されるＲＡＴによって異なる。
【００６１】
端末は、ネットワーク登録必要がある場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびに接続するネットワークに登録をするものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録をする。
【００６２】
端末は、セルで提供されるサービス環境または端末の環境などに基づいてセル再選択を実行する（Ｓ４４０）。端末は、サービスを受けている基地局から測定した信号の強度や品質の値が隣接したセルの基地局から測定した値より低い場合、端末が接続した基地局のセルより良い信号特性を提供する他のセルの中から一つを選択する。この過程を２番過程の初期セル選択（Ｉｎｉｔｉａｌ  Ｃｅｌｌ  Ｓｅｌｅｃｔｉｏｎ）と区分するためにセル再選択（Ｃｅｌｌ  Ｒｅ−Ｓｅｌｅｃｔｉｏｎ）という。このとき、信号特性の変化によって頻繁にセルが再選択されることを防止するために時間的な制約条件をおく。セル再選択手順に対して以後に詳述する。
【００６３】
図５は、ＲＲＣ接続を設定する過程を示す。
【００６４】
端末は、ＲＲＣ接続を要求するＲＲＣ接続要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ接続要求に対する応答としてＲＲＣ接続設定（ＲＲＣ  Ｃｏｎｎｅｃｔｉｏｎ  Ｓｅｔｕｐ）メッセージを送る（Ｓ５２０）。ＲＲＣ接続設定メッセージを受信した後、端末は、ＲＲＣ接続モードに進入する。
【００６５】
端末は、ＲＲＣ接続確立の成功的な完了を確認するために使われるＲＲＣ接続設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００６６】
図６は、ＲＲＣ接続再構成手順を示す。
【００６７】
ＲＲＣ接続再構成（ｒｅｃｏｎｆｉｇｕｒａｔｉｏｎ）は、ＲＲＣ接続の修正に使われる。これはＲＢ構成／修正（ｍｏｄｉｆｙ）／解除（ｒｅｌｅａｓｅ）、ハンドオーバ実行、測定セットアップ／修正／解除するために使われる。
【００６８】
ネットワークは、端末にＲＲＣ接続を修正するためのＲＲＣ接続再構成（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ接続再構成に対する応答として、ＲＲＣ接続再構成の成功的な完了を確認するために使われるＲＲＣ接続再構成完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００６９】
以下、端末がセルを選択する手順に対して詳細に説明する。
【００７０】
電源がオンになり、またはセルにとどまっている時、端末は、適切な品質のセルを選択／再選択してサービスを受けるための手順を実行する。
【００７１】
ＲＲＣアイドル状態の端末は、常に適切な品質のセルを選択し、このセルを介してサービスの提供を受けるための準備をしなければならない。例えば、電源がオンになった端末は、ネットワークに登録をするために適切な品質のセルを選択しなければならない。ＲＲＣ接続状態の前記端末がＲＲＣアイドル状態に進入すると、前記端末は、ＲＲＣアイドル状態でとどまるセルを選択しなければならない。このように、前記端末がＲＲＣアイドル状態のようなサービス待機状態にとどまっているために、ある条件を満たすセルを選択する過程をセル選択（Ｃｅｌｌ  Ｓｅｌｅｃｔｉｏｎ）という。重要な点は、前記セル選択は、前記端末が前記ＲＲＣアイドル状態にとどまっているセルを現在決定することができない状態で実行するため、可能な限り速やかにセルを選択することが何より重要である。したがって、一定基準以上の無線信号品質を提供するセルの場合は、たとえ、このセルが端末に最も良い無線信号品質を提供するセルでないとしても、端末のセル選択過程で選択されることができる。
【００７２】
以下、３ＧＰＰ  ＬＴＥにおいて、端末がセルを選択する方法及び手順に対して詳述する。
【００７３】
セル選択過程は、大いに、二つに分けられる。
【００７４】
まず、初期セル選択過程であって、この過程では前記端末が無線チャネルに対する事前情報がない。したがって、前記端末は、適切なセルを探すために全ての無線チャネルを検索する。各チャネルで、前記端末は、最も強いセルを探す。以後、前記端末がセル選択基準を満たす適切な（ｓｕｉｔａｂｌｅ）セルを探した時、該当セルを選択する。
【００７５】
次に、端末は、格納された情報を活用し、またはセルで放送している情報を活用してセルを選択することができる。したがって、初期セル選択過程に比べてセル選択が迅速である。端末がセル選択基準を満たすセルを探した時、該当セルを選択する。もし、この過程を介してセル選択基準を満たす適切なセルを探すことができない場合、端末は、初期セル選択過程を実行する。
【００７６】
前記端末がセル選択過程を介してどんなセルを選択した以後、端末の移動性または無線環境の変化などで、端末と基地局との間の信号の強度や品質が変わることができる。したがって、もし、選択したセルの品質が低下される場合、端末は、より良い品質を提供する他のセルを選択することができる。このようにセルを再び選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００７７】
無線信号の品質観点以外に、ネットワークは、周波数別に優先順位を決定して端末に知らせることができる。このような優先順位を受信した端末は、セル再選択過程でこの優先順位を無線信号品質基準より優先的に考慮するようになる。
【００７８】
前記のように無線環境の信号特性によってセルを選択または再選択する方法があり、セル再選択時、再選択のためのセルを選択するにあたって、セルのＲＡＴと周波数（ｆｒｅｑｕｅｎｃｙ）特性によって下記のようなセル再選択方法がある。
【００７９】
−イントラ周波数（Ｉｎｔｒａ−ｆｒｅｑｕｅｎｃｙ）セル再選択：端末がキャンプ（ｃａｍｐ）中であるセルと同じＲＡＴと同じ中心周波数（ｃｅｎｔｅｒ−ｆｒｅｑｕｅｎｃｙ）を有するセルを再選択
【００８０】
−インター周波数（Ｉｎｔｅｒ−ｆｒｅｑｕｅｎｃｙ）セル再選択：端末がキャンプ中であるセルと同じＲＡＴと異なる中心周波数を有するセルを再選択
【００８１】
−インターＲＡＴ（Ｉｎｔｅｒ−ＲＡＴ）セル再選択：端末がキャンプ中であるＲＡＴと異なるＲＡＴを使用するセルを再選択
【００８２】
セル再選択過程の原則は、下記の通りである。
【００８３】
第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００８４】
第二に、セル再選択は、セル再選択基準に基づいて実行される。セル再選択基準は、サービングセル及び隣接セル測定に関連して以下のような特性を有している。
【００８５】
イントラ周波数セル再選択は、基本的にランキング（ｒａｎｋｉｎｇ）に基づいて行われる。ランキングとは、セル再選択評価のための指標値を定義し、この指標値を利用してセルを指標値の大きさ順に順序付ける作業である。最も良い指標を有するセルを一般的に最高順位セル（ｈｉｇｈｅｓｔ  ｒａｎｋｅｄ  ｃｅｌｌ）と呼ぶ。セル指標値は、端末が該当セルに対して測定した値を基本にして、必要によって周波数オフセットまたはセルオフセットを適用した値である。
【００８６】
インター周波数セル再選択は、ネットワークにより提供された周波数優先順位に基づいて行われる。端末は、最も高い周波数優先順位を有する周波数にとどまる（ｃａｍｐ  ｏｎ）するように試みる。ネットワークは、ブロードキャストシグナリング（ｂｒｏａｄｃａｓｔ  ｓｉｇｎａｌｉｎｇ）を介してセル内の端末が共通的に適用する周波数優先順位を提供し、または、端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）ということができ、端末別にネットワークが設定するセル再選択優先順位を専用優先順位（ｄｅｄｉｃａｔｅｄ  ｐｒｉｏｒｉｔｙ）ということができる。端末は、専用優先順位を受信すると、専用優先順位と関連した有効時間（ｖａｌｉｄｉｔｙ  ｔｉｍｅ）を共に受信することができる。端末は、専用優先順位を受信すると、共に受信した有効時間として設定された有効性タイマ（ｖａｌｉｄｉｔｙ  ｔｉｍｅｒ）を開始する。端末は、有効性タイマが動作する間に、ＲＲＣアイドルモードで専用優先順位を適用する。有効性タイマが満了されると、端末は、専用優先順位を廃棄し、再び共用優先順位を適用する。
【００８７】
インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００８８】
イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を端末に提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００８９】
イントラ周波数またはインター周波数セル再選択のために、ネットワークは、端末にセル再選択に使われるセル再選択禁止リスト（ｂｌａｃｋ  ｌｉｓｔ）を端末に提供することができる。禁止リストに含まれているセルに対し、端末は、セル再選択を実行しない。
【００９０】
次に、セル再選択評価過程で実行するランキングに対して説明する。
【００９１】
セルの優先順位付けに使われるランキング指標（ｒａｎｋｉｎｇ  ｃｒｉｔｅｒｉｏｎ）は、数式１のように定義される。
【００９２】
【数１】
0006431206.tif 000002
【００９３】
ここで、Ｒｓはサービングセルのランキング指標であり、Ｒｎは隣接セルのランキング指標であり、Ｑｍｅａｓ、ｓは端末がサービングセルに対して測定した品質値であり、Ｑｍｅａｓ、ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【００９４】
イントラ周波数で、端末がサービングセルと隣接セルとの間のオフセット（Ｑｏｆｆｓｅｔｓ、ｎ）を受信した場合にはＱｏｆｆｓｅｔ＝Ｑｏｆｆｓｅｔｓ、ｎであり、端末がＱｏｆｆｓｅｔｓ、ｎを受信しない場合にはＱｏｆｆｓｅｔ＝０である。
【００９５】
インター周波数で、端末が該当セルに対するオフセット（Ｑｏｆｆｓｅｔｓ、ｎ）を受信した場合、Ｑｏｆｆｓｅｔ＝Ｑｏｆｆｓｅｔｓ、ｎ＋Ｑｆｒｅｑｕｅｎｃｙであり、端末がＱｏｆｆｓｅｔｓ、ｎを受信しない場合、Ｑｏｆｆｓｅｔ＝Ｑｆｒｅｑｕｅｎｃｙである。
【００９６】
サービングセルのランキング指標（Ｒｓ）と隣接セルのランキング指標（Ｒｎ）が互いに類似している状態で変動すると、変動結果、ランキング順位が頻繁に変わって端末が二つのセルを交互に再選択することができる。Ｑｈｙｓｔは、セル再選択でヒステリシスを与え、端末が二つのセルを交互に再選択することを防止のためのパラメータである。
【００９７】
端末は、前記数式によってサービングセルのＲｓ及び隣接セルのＲｎを測定し、ランキング指標値が最も大きい値を有するセルを最高順位（ｈｉｇｈｅｓｔ  ｒａｎｋｅｄ）セルと見なし、このセルを再選択する。もし、再選択したセルが正規セル（ｓｕｉｔａｂｌｅ  ｃｅｌｌ）でない場合、端末は、該当周波数または該当セルをセル再選択対象から除外する。
【００９８】
図７は、ＲＲＣ接続再確立手順を示す。
【００９９】
図７を参照すると、端末は、ＳＲＢ  ０（Ｓｉｇｎａｌｉｎｇ  Ｒａｄｉｏ  Ｂｅａｒｅｒ  ＃０）を除外して設定された全ての無線ベアラ（ｒａｄｉｏ  ｂｅａｒｅｒ）使用を中断し、ＡＳ（Ａｃｃｅｓｓ  Ｓｔｒａｔｕｍ）の各種副階層を初期化させる（Ｓ７１０）。また、各副階層及び物理階層を基本構成（ｄｅｆａｕｌｔ  ｃｏｎｆｉｇｕｒａｔｉｏｎ）として設定する。このような過程中、端末は、ＲＲＣ接続状態を維持する。
【０１００】
端末は、ＲＲＣ接続再確立手順を実行するためのセル選択手順を実行する（Ｓ７２０）。ＲＲＣ接続再確立手順のうちセル選択手順は、端末がＲＲＣ接続状態を維持しているにもかかわらず、端末がＲＲＣアイドル状態で実行するセル選択手順と同じく実行されることができる。
【０１０１】
端末は、セル選択手順を実行した後、該当セルのシステム情報を確認して該当セルが適したセルかどうかを判断する（Ｓ７３０）。もし、選択されたセルが適切なＥ−ＵＴＲＡＮセルと判断された場合、端末は、該当セルとＲＲＣ接続再確立要求メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を送信する（Ｓ７４０）。
【０１０２】
一方、ＲＲＣ接続再確立手順を実行するためのセル選択手順を介して選択されたセルがＥ−ＵＴＲＡＮ以外の他のＲＡＴを使用するセルと判断された場合、ＲＲＣ接続再確立手順を中断し、端末は、ＲＲＣアイドル状態に進入する（Ｓ７５０）。
【０１０３】
端末は、セル選択手順及び選択したセルのシステム情報受信を介してセルの適切性確認は、制限された時間内に終えるように具現されることができる。そのために、端末は、ＲＲＣ接続再確立手順を開始することによってタイマを駆動させることができる。タイマは、端末が適したセルを選択したと判断された場合、中断されることができる。タイマが満了された場合、端末は、ＲＲＣ接続再確立手順が失敗したと見なしてＲＲＣアイドル状態に進入できる。このタイマを以下で無線リンク失敗タイマという。ＬＴＥスペックＴＳ３６．３３１ではＴ３１１という名称のタイマが無線リンク失敗タイマとして活用されることができる。端末は、このタイマの設定値をサービングセルのシステム情報から取得できる。
【０１０４】
端末からＲＲＣ接続再確立要求メッセージを受信して要求を受諾した場合、セルは、端末にＲＲＣ接続再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を送信する。
【０１０５】
セルからＲＲＣ接続再確立メッセージを受信した端末は、ＳＲＢ１に対するＰＤＣＰ副階層とＲＬＣ副階層を再構成する。また、セキュリティ設定と関連した各種キー値を再び計算し、セキュリティを担当するＰＤＣＰ副階層を新しく計算したセキュリティキー値で再構成する。それによって、端末とセルとの間のＳＲＢ１が開放されてＲＲＣ制御メッセージをやり取りすることができるようになる。端末は、ＳＲＢ１の再開を完了し、セルにＲＲＣ接続再確立手順が完了したというＲＲＣ接続再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を送信する（Ｓ７６０）。
【０１０６】
それに対し、端末からＲＲＣ接続再確立要求メッセージを受信して要求を受諾しない場合、セルは、端末にＲＲＣ接続再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を送信する。
【０１０７】
ＲＲＣ接続再確立手順が成功的に実行されると、セルと端末は、ＲＲＣ接続再確立手順を実行する。それによって、端末は、ＲＲＣ接続再確立手順を実行する前の状態を回復し、サービスの連続性を最大限保障する。
【０１０８】
以下、ＴＡＵ（Ｔｒａｃｋｉｎｇ  Ａｒｅａ  Ｕｐｄａｔｅ）手順に対して説明する。
【０１０９】
ＲＲＣ＿ＩＤＬＥ状態の端末は、Ｅ−ＵＴＲＡＮが把握することができない。それによって、端末の位置は、セルより大きい単位であるＴＡ（Ｔｒａｃｋｉｎｇ  Ａｒｅａ）に基づいて定義され、核心ネットワーク（例えば、ＭＭＥ）が端末の位置を管理することができる。即ち、ＲＲＣ＿ＩＤＬＥ状態の端末は、ＴＡ単位でその存在可否が把握され、音声やデータサービスの提供を受けるためにはＲＲＣ＿ＩＤＬＥ状態をＲＲＣ＿ＣＯＮＮＥＣＴＥＤ状態に遷移しなければならない。それに対し、ＲＲＣ＿ＣＯＮＮＥＣＴＥＤ状態の端末は、セル単位で存在可否が把握される。各々のＴＡは、ＴＡＩ（Ｔｒａｃｋｉｎｇ  Ａｒｅａ  Ｉｄｅｎｔｉｔｙ）を介して区別され、ＴＡＩは、セルで放送される情報を介して端末に受信される値であるＴＡＣ（Ｔｒａｃｋｉｎｇ  Ａｒｅａ  Ｃｏｄｅ）を含んで構成されることができる。
【０１１０】
ＲＲＣ＿ＩＤＬＥ状態の端末が核心ネットワークから受信したＴＡＩリストにない他のＴＡに移動したり、周期的なＴＡＵのためのタイマが満了されたりすると、ＲＲＣ＿ＩＤＬＥ状態の端末は、核心ネットワークに自分の現在位置を知らせるために、ＴＡＵ手順を開始する。例えば、ＲＲＣ＿ＩＤＬＥ状態の端末が他のＴＡに移動した場合、端末は、セルを（再）選択し、選択したセルで放送されるシステム情報から新しいＴＡのＴＡＩを確認する。次に、端末は、自分が格納しているＴＡＩリストで新しいＴＡのＴＡＩが確認されない場合、ＴＡが変更されたことを知ることができる。それによって、端末は、ＴＡＵ手順を開始する。ＴＡＵ手順が開始されると、端末は、基地局を介して核心ネットワークにＴＡＵ要求メッセージを送信する。前記メッセージを受信した核心ネットワークは、端末に対する情報を他の核心ネットワークから持ってくるような役割を実行する。
【０１１１】
無線インターフェース上のページング負荷を減少させ、多くの数の基地局にページングを送るＭＭＥの負荷を減少させるために、ＳＡ２は、ページング最適化に対して議論してきた。ＭＭＥが管理する全ての基地局に対してページングメッセージを送信する場合、大きいオーバーヘッドが発生することができるためである。したがって、ＳＡ２は、ページング負荷を減少させるために、端末がサポートする周波数帯域で動作するセルを介してのみページングする方法を考慮した。即ち、いくつかのセル及び／または基地局を含むＭＭＥがページングの計画を担当するため、基地局がＭＭＥに追加的な情報を送信する方法を考慮した。従来、基地局がＭＭＥに現在端末が属する隣接セルのＥＣＧＩを送信する方法が提案されたが、下記のような問題点が発生できる。以下、図８を参照して、基地局がＭＭＥに現在端末が属する隣接セルのＥＣＧＩ情報を送信する場合に発生できる問題点に対して説明する。
【０１１２】
図８は、隣接セルのＥＣＧＩをＭＭＥに提供する場合、ページング手順で発生できる問題点を示す。
【０１１３】
ＲＲＣ＿ＩＤＬＥ状態の端末に対するページングシグナリング（Ｐａｇｉｎｇ  Ｓｉｇｎａｌｌｉｎｇ）を減少させるために、端末が属する基地局が、端末が属するセル及び端末が属するセルの隣接セルのＥＣＧＩ（Ｅ−ＵＴＲＡＮ  Ｃｅｌｌ  Ｇｌｏｂａｌ  Ｉｄｅｎｔｉｆｉｅｒ）をＭＭＥに提供する方法が提案された。しかし、移動する装置の場合またはスモールセルの場合、下記のような問題が発生できる。
【０１１４】
図８を参照すると、第１の基地局は第１のＴＡに属し、第２の基地局乃至第４の基地局は第２のＴＡに属すると仮定する。現在端末は、ＲＲＣ＿ＩＤＬＥ状態であり、第２のＴＡに対応する第２のＴＡＩに対する情報を有していると仮定する。隣接セルのＥＣＧＩをＭＭＥに提供する方法によると、端末がＲＲＣ＿ＩＤＬＥ状態に送信される時、第１の基地局は、セル３のＥＣＧＩ及びセル３の隣接セルであるセル１、２、４、５、７のＥＣＧＩをＳ１解除手順を利用してＭＭＥに送信することができる。以後、端末がＲＲＣ＿ＩＤＬＥ状態を維持し、第４の基地局に属するセル１１に移動すると仮定する。もし、ＭＭＥが第１の基地局から提供を受けたＥＣＧＩのリスト（即ち、セル１、２、４、５、７のＥＣＧＩ）に基づいてページング手順を開始すると、ＭＭＥは、第１の基地局乃至第３の基地局にページングメッセージを送信することができる。即ち、現在端末が位置するセル１１をコントロールする第４の基地局にはページングメッセージが送信されない。したがって、第４の基地局にページングメッセージが送信されないため、ページングは失敗する。ページングの失敗によって、より多くのページングシグナリングが必要な従来のページング手順が実行されなければならない。
【０１１５】
また、ページング失敗は、セル大きさによって頻繁に発生することができる。スモールセルの場合、従来のページング手順を適用すると、他の場合に比べて多くのページングシグナリングが発生できる。ＭＭＥが端末の位置を知ることができるようにするために、ＭＭＥにより割り当てられた端末に対するＴＡＩリストの大きさが増加することができるためである。本発明は、このような問題を解決するために、ＭＭＥに端末が現在属する隣接セルのＴＡＩリストを提供し、これに基づいてページング手順を実行する方法を提案する。
【０１１６】
図８の実施例において、本発明が提案する方法によって、端末が現在属するセルの隣接セルのＴＡＩをＭＭＥに提供すると、ＭＭＥは、第２のＴＡに対する情報に基づいて第２の基地局乃至第４の基地局にページングメッセージを送信することができるため、ページングが失敗しない。
【０１１７】
ページング手順は、二つのステップに構成されることができる。第１のステップにおいて、端末がＲＲＣ＿ＣＯＮＮＥＣＴＥＤからＲＲＣ＿ＩＤＬＥに遷移し、またはＲＲＣ＿ＩＤＬＥモードの間にＴＡＵをトリガすると、端末が属する基地局は、ＭＭＥから基地局にページングシグナリングを減少させるために、ＭＭＥに現在端末が属するセルの隣接セルの情報を知らせることができる。前記隣接セルの情報は、隣接セルのＴＡＩ情報である。第２のステップにおいて、前記ＭＭＥは、第１のステップで提供された情報に基づいてページング手順を実行することができる。
【０１１８】
まず、図９乃至図１１を介して第１のステップに対して具体的に説明する。
【０１１９】
図９は、本発明の一実施例によって、Ｓ１解除手順の間に、ＭＭＥに隣接セルのＴＡＩリストを提供する方法を示す。具体的に、図９は、基地局がユーザ非活性化などを検出して基地局によりＳ１解除がトリガされる場合、前記基地局がＭＭＥに隣接セルのＴＡＩリストを提供する方法を示す。
【０１２０】
端末がＲＲＣ＿ＩＤＬＥモードに遷移すると、基地局は、ＭＭＥに隣接セルのＴＡＩリストを下記のような方法により提供することができる。
【０１２１】
基地局は、端末のシグナリング接続を解除することができる（Ｓ９１０）。端末のシグナリング接続解除は、ＭＭＥにＳ１コンテクスト解除を要求する以前に実行されることができる。または、端末のシグナリング接続解除は、ＭＭＥにＳ１コンテクスト解除の要求と同時に実行されることができる。
【０１２２】
もし、基地局が端末のシグナリング接続及び端末に対する全ての無線ベアラの解除が必要であることを検出すると、基地局は、ＭＭＥに隣接セルのＴＡＩのリストを含むＵＥ  ＣＯＮＴＥＸＴ  ＲＥＬＥＡＳＥ  ＲＥＱＵＥＳＴメッセージを送信することができる（Ｓ９２０）。もし、現在端末が属するセルのＴＡＩが隣接セルのＴＡＩと同じ場合、隣接セルのＴＡＩは、隣接セルのＴＡＩリストに含まれない。即ち、隣接セルのＴＡＩが、現在端末が属するセルのＴＡＩと異なる場合にのみ、隣接セルのＴＡＩは、隣接セルのＴＡＩリストに含まれることができる。ＭＭＥは、以後ページングのために隣接セルのＴＡＩのリストを格納することができる。
【０１２３】
ＭＭＥは、ＵＥ  ＣＯＮＴＥＸＴ  ＲＥＬＥＬＡＳＥ  ＣＯＭＭＡＮＤメッセージを基地局に送信することによってＳ１接続を解除することができる（Ｓ９３０）。
【０１２４】
もし、ＲＲＣ接続が解除されていない場合、基地局は、確認モード（Ａｃｋｎｏｗｌｅｄｇｅｄ  Ｍｏｄｅ）でＲＲＣ  ＣＯＮＮＥＣＴＩＯＮ  ＲＥＬＥＬＡＳＥメッセージを端末に送信することができる（Ｓ９４０）。前記メッセージが端末により確認されると、基地局は、端末のコンテクストを削除することができる。
【０１２５】
基地局は、隣接セルのＴＡＩのリストを含むＵＥ  ＣＯＮＴＥＸＴ  ＲＥＬＥＡＳＥ  ＣＯＭＰＬＥＴＥメッセージをＭＭＥに回答することによってＳ１接続の解除を確認することができる（Ｓ９５０）。もし、現在端末が属するセルのＴＡＩが隣接セルのＴＡＩと同じ場合、隣接セルのＴＡＩは、隣接セルのＴＡＩリストに含まれない。即ち、隣接セルのＴＡＩが、現在端末が属するセルのＴＡＩと異なる場合にのみ、隣接セルのＴＡＩは、隣接セルのＴＡＩリストに含まれることができる。ＭＭＥは、以後ページングのために隣接セルのＴＡＩのリストを格納することができる。即ち、ページングのために推薦されたセル及び推薦された基地局の情報（ＩＥ）がＵＥ  ＣＯＮＴＥＸＴ  ＲＥＬＥＡＳＥ  ＣＯＭＰＬＥＴＥメッセージに含まれると、ＭＭＥは、これを格納し、以後のページング手順に使用することができる。
【０１２６】
ＵＥ  ＣＯＮＴＥＸＴ  ＲＥＬＥＡＳＥ  ＣＯＭＰＬＥＴＥメッセージに含まれている情報は、表１の通りである。
【０１２７】
【表１】
0006431206.tif 000003
【０１２８】
表１を参照すると、ページングのために推薦されたセルの情報及び推薦された基地局の情報がＵＥ  ＣＯＮＴＥＸＴ  ＲＥＬＥＡＳＥ  ＣＯＭＰＬＥＴＥメッセージに含まれることができる。
【０１２９】
ページングのために推薦されたセルの情報及び推薦された基地局の情報は、表２の通りである。
【０１３０】
【表２】
0006431206.tif 000004
【０１３１】
表２を参照すると、前記ページングのために推薦されたセルの情報は、隣接セルのＥＣＧＩ情報である。前記ページングのために推薦された基地局の情報は、隣接セルのＴＡＩリストである。
【０１３２】
ページングのために推薦されたセルの情報に含まれている情報は、表３の通りである。
【０１３３】
【表３】
0006431206.tif 000005
【０１３４】
表３を参照すると、推薦されたセルのリストは、訪問しないセルの情報を含むことができる。即ち、推薦されたセルのリストは、隣接セルのＥＣＧＩ情報を含むことができる。
【０１３５】
ページングのために推薦された基地局の情報に含まれている情報は、表４の通りである。
【０１３６】
【表４】
0006431206.tif 000006
【０１３７】
表４を参照すると、推薦された基地局のリストは、訪問しない基地局の情報を含むことができ、該当情報は、グローバルｅＮＢ  ＩＤ及びＴＡＩを含むことができる。即ち、推薦された基地局のリストは、隣接セルのＴＡＩリスト情報を含むことができる。
【０１３８】
図１０は、本発明の一実施例によって、Ｓ１解除手順の間に、ＭＭＥに隣接セルのＴＡＩリストを提供する方法を示す。具体的に、図１０は、ＭＭＥによりＳ１解除がトリガされる場合、前記基地局がＭＭＥに隣接セルのＴＡＩリストを提供する方法を示す。
【０１３９】
端末がＲＲＣ＿ＩＤＬＥモードに遷移すると、基地局は、ＭＭＥに隣接セルのＴＡＩリストを下記のような方法により提供することができる。
【０１４０】
ＭＭＥは、ＵＥ  ＣＯＮＴＥＸＴ  ＲＥＬＥＬＡＳＥ  ＣＯＭＭＡＮＤメッセージを基地局に送信することによってＳ１接続を解除することができる（Ｓ１０１０）。
【０１４１】
もし、ＲＲＣ接続が解除されていない場合、基地局は、確認モード（Ａｃｋｎｏｗｌｅｄｇｅｄ  Ｍｏｄｅ）でＲＲＣ  ＣＯＮＮＥＣＴＩＯＮ  ＲＥＬＥＬＡＳＥメッセージを端末に送信することができる（Ｓ１０２０）。前記メッセージが端末により確認されると、基地局は、端末のコンテクストを削除することができる。
【０１４２】
基地局は、隣接セルのＴＡＩのリストを含むＵＥ  ＣＯＮＴＥＸＴ  ＲＥＬＥＡＳＥ  ＣＯＭＰＬＥＴＥメッセージをＭＭＥに回答することによってＳ１接続の解除を確認することができる（Ｓ１０３０）。もし、現在端末が属するセルのＴＡＩが隣接セルのＴＡＩと同じ場合、隣接セルのＴＡＩは、隣接セルのＴＡＩリストに含まれない。即ち、隣接セルのＴＡＩが、現在端末が属するセルのＴＡＩと異なる場合にのみ、隣接セルのＴＡＩは、隣接セルのＴＡＩリストに含まれることができる。ＭＭＥは、以後ページングのために隣接セルのＴＡＩのリストを格納することができる。即ち、ページングのために推薦されたセル及び推薦された基地局の情報（ＩＥ）がＵＥ  ＣＯＮＴＥＸＴ  ＲＥＬＥＡＳＥ  ＣＯＭＰＬＥＴＥメッセージに含まれると、ＭＭＥは、これを格納し、以後のページング手順に使用することができる。ＵＥ  ＣＯＮＴＥＸＴ  ＲＥＬＥＡＳＥ  ＣＯＭＰＬＥＴＥメッセージに含まれている情報、ページングのために推薦されたセルの情報及び推薦された基地局の情報、ページングのために推薦されたセルの情報に含まれている情報及びページングのために推薦された基地局の情報に含まれている情報は、各々、前記表１乃至表４を参照することができる。
【０１４３】
図１１は、本発明の一実施例によって、ＴＡＵ手順の間に、ＭＭＥに隣接セルのＴＡＩリストを提供する方法を示す。具体的に、図１１は、端末の周期的ＴＡアップデートタイマが満了し、または端末がネットワークに登録された端末のＴＡＩリストにない新しいＴＡに進入したことを検出する場合、前記基地局がＭＭＥに隣接セルのＴＡＩリストを提供する方法を示す。
【０１４４】
端末の周期的なＴＡアップデートタイマが満了されると、端末は、ＴＡＵ手順をトリガすることができる（Ｓ１１１０）。
【０１４５】
端末は、ＲＲＣパラメータと共にＴＡＵ要求メッセージを含むＲＲＣ  ＣＯＮＮＥＣＴＩＯＮ  ＳＥＴＵＰ  ＣＯＭＰＬＥＴＥメッセージを送信することができる（Ｓ１１２０）。
【０１４６】
基地局は、ＭＭＥにＴＡＵ要求メッセージ及び隣接セルのＴＡＩリストを含むＩＮＩＴＩＡＬ  ＵＥ  ＭＥＳＳＡＧＥメッセージを送信することができる（Ｓ１１３０）。もし、現在端末が属するセルのＴＡＩが隣接セルのＴＡＩと同じ場合、隣接セルのＴＡＩは、隣接セルのＴＡＩリストに含まれない。即ち、隣接セルのＴＡＩが現在端末が属するセルのＴＡＩと異なる場合にのみ、隣接セルのＴＡＩは、隣接セルのＴＡＩリストに含まれることができる。ＭＭＥは、以後ページングのために隣接セルのＴＡＩのリストを格納することができる。即ち、ページングのために推薦されたセル及び推薦された基地局の情報（ＩＥ）がＩＮＩＴＩＡＬ  ＵＥ  ＭＥＳＳＡＧＥメッセージに含まれると、ＭＭＥは、これを格納し、以後のページング手順に使用することができる。
【０１４７】
次に、第２のステップに対して具体的に説明する。図９乃至図１１で提案された手順によって、ＭＭＥは、現在端末が属するセルの隣接セルのＴＡＩリストを受信することができる。以後ページング手順で、ＭＭＥは、前記隣接セルのＴＡＩリストが指示するＴＡに属する基地局にページングメッセージ（または、新しいメッセージ）を送信することができる。前記ページングメッセージ（または、新しいメッセージ）は、現存するＩＥまたは新しいＩＥ（または、新しいメッセージに含まれている新しいＩＥ）を使用して隣接セルのＴＡＩを含むことができる。
【０１４８】
従来ページング手順によると、複数のＴＡに属する複数の基地局にページングメッセージを送信するため、ページングシグナリングのオーバーヘッドが大きいという短所があった。また、従来提案された隣接セルのＥＣＧＩを受信し、これを利用するページング手順によると、端末の移動性によってページング失敗が頻繁に発生することができるという問題点があった。本発明で提案する方法によると、隣接セルのＴＡＩに基づいてページングを実行するため、ページングシグナリングのオーバーヘッドを減少させることができ、端末の移動性によるページング失敗を減少させることができる。
【０１４９】
図１２は、本発明の一実施例によって、ＭＭＥがページングシグナリングを減少させるための方法を示すブロック図である。
【０１５０】
図１２を参照すると、前記ＭＭＥは、隣接セルのＴＡＩリストを基地局から受信することができる（Ｓ１２１０）。前記隣接セルは、端末が属するセルに隣接したセルである。前記隣接セルのＴＡＩリストは、前記端末が属するセルのＴＡＩと前記隣接セルのＴＡＩが異なる場合に受信されることができる。前記端末は、ＲＲＣ＿ＩＤＬＥ状態である。
【０１５１】
前記隣接セルのＴＡＩリストは、ＵＥ  ＣＯＮＴＥＸＴ  ＲＥＬＥＡＳＥ  ＲＥＱＵＥＳＴメッセージに含まれて受信されることができる。前記隣接セルのＴＡＩリストは、ＵＥ  ＣＯＮＴＥＸＴ  ＲＥＬＥＡＳＥ  ＣＯＭＰＬＥＴＥメッセージに含まれて受信されることができ、前記ＵＥ  ＣＯＮＴＥＸＴ  ＲＥＬＥＡＳＥ  ＣＯＭＰＬＥＴＥメッセージは、ＵＥ  ＣＯＮＴＥＸＴ  ＲＥＬＥＡＳＥ  ＣＯＭＭＡＮＤメッセージに対する応答として受信されることができる。前記ＵＥ  ＣＯＮＴＥＸＴ  ＲＥＬＥＡＳＥ  ＲＥＱＵＥＳＴメッセージ、ＵＥ  ＣＯＮＴＥＸＴ  ＲＥＬＥＡＳＥ  ＣＯＭＭＡＮＤメッセージまたはＵＥ  ＣＯＮＴＥＸＴ  ＲＥＬＥＡＳＥ  ＣＯＭＰＬＥＴＥメッセージは、Ｓ１解除手順で送信されるメッセージである。
【０１５２】
前記隣接セルのＴＡＩリストは、ＩＮＩＴＩＡＬ  ＵＥ  ＭＥＳＳＡＧＥメッセージに含まれて受信されることができ、前記ＩＮＩＴＩＡＬ  ＵＥ  ＭＥＳＳＡＧＥメッセージは、ＲＲＣ  ＣＯＮＮＥＣＴＩＯＮ  ＳＥＴＵＰ  ＣＯＭＰＬＥＴＥメッセージの受信以後に受信されることができる。前記ＲＲＣ  ＣＯＮＮＥＣＴＩＯＮ  ＳＥＴＵＰ  ＣＯＭＰＬＥＴＥメッセージまたはＩＮＩＴＩＡＬ  ＵＥ  ＭＥＳＳＡＧＥメッセージは、ＴＡＵ手順で送信されるメッセージである。
【０１５３】
前記ＭＭＥは、前記隣接セルのＴＡＩリストが指示するＴＡに属する基地局にページングメッセージを送信することができる（Ｓ１２２０）。そのために、前記ＭＭＥは、前記隣接セルのＴＡＩリストを格納することができる。
【０１５４】
図１３は、本発明の一実施例によって、基地局がページングシグナリングを減少させるための方法を示すブロック図である。
【０１５５】
図１３を参照すると、前記基地局は、隣接セルのＴＡＩリストをＭＭＥに送信することができる（Ｓ１３１０）。前記隣接セルは、端末が属するセルに隣接したセルである。前記隣接セルのＴＡＩリストは、前記端末が属するセルのＴＡＩと前記隣接セルのＴＡＩが異なる場合に送信されることができる。前記端末は、ＲＲＣ＿ＩＤＬＥ状態である。
【０１５６】
前記基地局は、ＵＥ  ＣＯＮＴＥＸＴ  ＲＥＬＥＡＳＥ  ＣＯＭＭＡＮＤメッセージを前記ＭＭＥから受信することができる。前記隣接セルのＴＡＩリストは、ＵＥ  ＣＯＮＴＥＸＴ  ＲＥＬＥＡＳＥ  ＣＯＭＰＬＥＴＥメッセージに含まれて送信されることができて、前記ＵＥ  ＣＯＮＴＥＸＴ  ＲＥＬＥＡＳＥ  ＣＯＭＰＬＥＴＥメッセージは、前記ＵＥ  ＣＯＮＴＥＸＴ  ＲＥＬＥＡＳＥ  ＣＯＭＭＡＮＤメッセージに対する応答として送信されることができる。
【０１５７】
前記基地局は、ＲＲＣ  ＣＯＮＮＥＣＴＩＯＮ  ＳＥＴＵＰ  ＣＯＭＰＬＥＴＥメッセージを前記端末から受信することができる。前記隣接セルのＴＡＩリストは、ＩＮＩＴＩＡＬ  ＵＥ  ＭＥＳＳＡＧＥメッセージに含まれて送信されることができ、前記ＩＮＩＴＩＡＬ  ＵＥ  ＭＥＳＳＡＧＥメッセージは、前記ＲＲＣ  ＣＯＮＮＥＣＴＩＯＮ  ＳＥＴＵＰ  ＣＯＭＰＬＥＴＥメッセージの受信以後に送信されることができる。
【０１５８】
図１４は、本発明の実施例が具現される無線通信システムのブロック図である。
【０１５９】
基地局１４００は、プロセッサ（ｐｒｏｃｅｓｓｏｒ）１４０１、メモリ（ｍｅｍｏｒｙ）１４０２及び送受信機（ｔｒａｎｓｃｅｉｖｅｒ）１４０３を含む。メモリ１４０２は、プロセッサ１４０１と連結され、プロセッサ１４０１を駆動するための多様な情報を格納する。送受信機１４０３は、プロセッサ１４０１と連結され、無線信号を送信及び／または受信する。プロセッサ１４０１は、提案された機能、過程及び／または方法を具現する。前述した実施例において、基地局の動作は、プロセッサ１４０１により具現されることができる。
【０１６０】
端末１４１０は、プロセッサ１４１１、メモリ１４１２及び送受信機１４１３を含む。メモリ１４１２は、プロセッサ１４１１と連結され、プロセッサ１４１１を駆動するための多様な情報を格納する。送受信機１４１３は、プロセッサ１４１１と連結され、無線信号を送信及び／または受信する。プロセッサ１４１１は、提案された機能、過程及び／または方法を具現する。前述した実施例において、端末の動作は、プロセッサ１４１１により具現されることができる。
【０１６１】
ＭＭＥ１４２０は、プロセッサ１４２１、メモリ１４２２を含む。メモリ１４２２は、プロセッサ１４２１と連結され、プロセッサ１４２１を駆動するための多様な情報を格納する。プロセッサ１４２１は、提案された機能、過程及び／または方法を具現する。前述した実施例において、端末の動作は、プロセッサ１４２１により具現されることができる。
【０１６２】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１６３】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１６４】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
0006431206.tif 000007
【図２】
0006431206.tif 000008
【図３】
0006431206.tif 000009
【図４】
0006431206.tif 000010
【図５】
0006431206.tif 000011
【図６】
0006431206.tif 000012
【図７】
0006431206.tif 000013
【図８】
0006431206.tif 000014
【図９】
0006431206.tif 000015
【図１０】
0006431206.tif 000016
【図１１】
0006431206.tif 000017
【図１２】
0006431206.tif 000018
【図１３】
0006431206.tif 000019
【図１４】
0006431206.tif 000020